(57)【要約】 【課題】高層建築物にセンサを設置し、高さに対応したデータにより大気の状態を正確に知ることが出来る大気情報予報装置を提供する。【解決手段】高層建築物からの情報により大気の状態を予測する大気情報予報装置１であって、監視部２０と、監視部２０に遠隔接続され、高層建築物の各所に設けられた外気温センサＳ１，Ｓ２…Ｓｎとを備え、監視部２０は、監視地域の高層建築物の外気温センサＳ１，Ｓ２…Ｓｎからの外気温情報と、当該地域の地表面温度とを蓄積データと比較し、大気の逆転層の生成を判断して予報する。【選択図】図１
2006153787.tif 000002
【特許請求の範囲】
【請求項１】
高層建築物からの情報により大気の状態を予測する大気情報予報装置であって、
監視部と、該監視部に遠隔接続され、高層建築物の各所に設けられた外気温センサとを備えて成り、
前記監視部は、監視地域の高層建築物の前記外気温センサからの外気温情報に応じて、大気の逆転層の生成を判断して予報することを特徴とする大気情報予報装置。
【請求項２】
高層建築物からの情報により大気の状態を予測する大気情報予報装置であって、
監視部と、該監視部に遠隔接続され、高層建築物の各所に設けられた給湯器に設けられた外気温サーミスタである外気温センサとを備えて成り、
前記監視部は、監視地域の高層建築物の前記外気温センサからの外気温情報に応じて、大気の逆転層の生成を判断して予報することを特徴とする大気情報予報装置。
【請求項３】
高層建築物からの情報により大気の状態を予測する大気情報予報装置であって、
監視部と、該監視部に遠隔接続され、高層建築物の各所に設けられた給湯器に設けられた外気温サーミスタである外気温センサと、該給湯器に備えられた風量を計測するための質量流量センサとを備えて成り、
前記監視部は、監視地域の高層建築物の前記外気温センサからの外気温情報に応じて、大気の逆転層の生成を判断するとともに、前記質量流量センサによる大気密度の値とにより汚染濃度を予測して予報することを特徴とする大気情報予報装置。
【請求項４】
高層建築物からの情報により大気の状態を予測する大気情報予報装置であって、
監視部と、該監視部に遠隔接続され、高層建築物の各所に設けられた給湯器に設けられた外気温サーミスタである外気温センサと、該給湯器に備えられたファンとを備えて成り、
前記監視部は、監視地域の高層建築物の前記外気温センサからの外気温情報に応じて、大気の逆転層の生成を判断するとともに、前記ファンの回転数と消費電力による大気密度の値とにより汚染濃度を予測して予報することを特徴とする大気情報予報装置。
【請求項５】
前記監視部は、予め大気の観測結果である温度データを記憶するデータ部を備えて成り、
前記監視部は、監視地域の高層建築物の前記外気温センサからの外気温情報と前記データ部に記憶されたデータとを比較することによって、大気の逆転層の生成を判断することを特徴とする請求項１〜３または４に記載の大気情報予報装置。
【請求項６】
前記監視部は、最低高度の外気温センサの示す温度から最高高度の外気温センサの示す温度までのデータ分布が所定の角度の勾配に近似するときは逆転層の生成を判断し、そのデータ分布の勾配が急角度であるときは逆転層の非生成を判断することを特徴とする請求項１〜３または４に記載の大気情報予報装置。
【請求項７】
前記監視部は、地表面温度から最高高度の外気温センサの示す温度までのデータ分布が所定の角度の勾配に近似するときは逆転層の生成を判断し、そのデータ分布の勾配が急角度であるときは逆転層の非生成を判断することを特徴とする請求項１〜３または４に記載の大気情報予報装置。
【請求項８】
前記外気温センサは、給湯器の動作停止から給湯熱の影響を受けなくなるまでの時間経過後のデータを使用することを特徴とする請求項２〜６または７に記載の大気情報予報装置。
【請求項９】
予報結果は、夏季は光化学スモッグ予報に、冬季は霜予報に利用することを特徴とする請求項１〜７または８に記載の大気情報予報装置。
【請求項１０】
前記給湯器に備えられた風量を計測するための質量流量センサまたは、ファンの回転数と消費電力のデータ分布を検出し、風向風速動向により予報の方向性を判断することを特徴とする請求項２〜８または９に記載の大気情報予報装置。
【請求項１１】
高層建築物からの情報により大気の状態を予測する大気情報予報装置であって、
遠隔接続され高層建築物の各所に設けられた外気温センサからのデータを受信する入力部と、判断部と、前記判断部からの予報に応じて警報を発する警報出力部を備えて成り、
前記判断部は、監視地域の高層建築物の前記外気温センサからの外気温情報に応じて、大気の逆転層の生成を判断して予報することを特徴とする大気情報予報装置。
【発明の詳細な説明】
【技術分野】
【０００１】
本発明は、高層建築物からの情報により大気の状態を予測する大気情報予報装置に関する。
【背景技術】
【０００２】
従来の技術としては、例えば特許文献１に示すようなものがある。  
すなわち、特許文献１の特開２００３−２８９６７号公報には、ＧＰＳにより位置情報を取得する測位手段、気象データを測定する測定手段、観測情報を外部装置へ送信する送信手段を備えた情報端末を用意し、端末の現在位置付近の狭い範囲の天気予報を高精度に行うことができるとする技術が開示されている。
【０００３】
【特許文献１】特開２００３−２８９６７号公報
【発明の開示】
【発明が解決しようとする課題】
【０００４】
しかしながら、このような従来の技術では、情報端末の位置が定められておらず、特に高さを要素とする情報は収集されず、大気の状態を知ることが出来ないという問題点があった。また、情報端末を別に用意しなければならないので、システムとして高価で煩雑なものになるという問題点があった。  
【０００５】
本発明は、このような従来の技術が有する問題点を解決するものであり、高層建築物にセンサを設置し、高さに対応したデータにより大気の状態を正確に知ることが出来、また、通常設置される給湯器の装備を利用して簡便安価に構築した大気情報予報装置を提供することを目的としている。
【課題を解決するための手段】
【０００６】
かかる目的を達成するための本発明の要旨とするところは、次の各項の発明に存する。
［１］高層建築物からの情報により大気の状態を予測する大気情報予報装置（１）であって、
監視部（２０）と、該監視部（２０）に遠隔接続され、高層建築物の各所に設けられた外気温センサ（Ｓ１，Ｓ２…Ｓｎ）とを備えて成り、
前記監視部（２０）は、監視地域の高層建築物の前記外気温センサ（Ｓ１，Ｓ２…Ｓｎ）からの外気温情報に応じて、大気の逆転層の生成を判断して予報することを特徴とする大気情報予報装置（１）。
【０００７】
［２］高層建築物からの情報により大気の状態を予測する大気情報予報装置（１）であって、
監視部（２０）と、該監視部（２０）に遠隔接続され、高層建築物の各所に設けられた給湯器（１０）に設けられた外気温サーミスタである外気温センサ（Ｓ１，Ｓ２…Ｓｎ）とを備えて成り、
前記監視部（２０）は、監視地域の高層建築物の前記外気温センサ（Ｓ１，Ｓ２…Ｓｎ）からの外気温情報に応じて、大気の逆転層の生成を判断して予報することを特徴とする大気情報予報装置（１）。
【０００８】
［３］高層建築物からの情報により大気の状態を予測する大気情報予報装置（１）であって、
監視部（２０）と、該監視部（２０）に遠隔接続され、高層建築物の各所に設けられた給湯器（１０）に設けられた外気温サーミスタである外気温センサ（Ｓ１，Ｓ２…Ｓｎ）と、該給湯器（１０）に備えられた風量を計測するための質量流量センサ（Ｖ１，Ｖ２…Ｖｎ）とを備えて成り、
前記監視部（２０）は、監視地域の高層建築物の前記外気温センサ（Ｓ１，Ｓ２…Ｓｎ）からの外気温情報に応じて、大気の逆転層の生成を判断するとともに、前記質量流量センサ（Ｖ１，Ｖ２…Ｖｎ）による大気密度の値とにより汚染濃度を予測して予報することを特徴とする大気情報予報装置（１）。
【０００９】
［４］高層建築物からの情報により大気の状態を予測する大気情報予報装置（１）であって、
監視部（２０）と、該監視部（２０）に遠隔接続され、高層建築物の各所に設けられた給湯器（１０）に設けられた外気温サーミスタである外気温センサ（Ｓ１，Ｓ２…Ｓｎ）と、該給湯器（１０）に備えられたファン（１４）とを備えて成り、
前記監視部（２０）は、監視地域の高層建築物の前記外気温センサ（Ｓ１，Ｓ２…Ｓｎ）からの外気温情報に応じて、大気の逆転層の生成を判断するとともに、前記ファン（１４）の回転数と消費電力による大気密度の値とにより汚染濃度を予測して予報することを特徴とする大気情報予報装置（１）。
【００１０】
［５］前記監視部（２０）は、予め大気の観測結果である温度データを記憶するデータ部（２２）を備えて成り、
前記監視部（２０）は、監視地域の高層建築物の前記外気温センサ（Ｓ１，Ｓ２…Ｓｎ）からの外気温情報と前記データ部（２２）に記憶されたデータとを比較することによって、大気の逆転層の生成を判断することを特徴とする［１］〜［３］または［４］に記載の大気情報予報装置（１）。
【００１１】
［６］前記監視部（２０）は、最低高度の外気温センサ（Ｓ１，Ｓ２…Ｓｎ）の示す温度から最高高度の外気温センサ（Ｓ１，Ｓ２…Ｓｎ）の示す温度までのデータ分布が所定の角度の勾配に近似するときは逆転層の生成を判断し、そのデータ分布の勾配が急角度であるときは逆転層の非生成を判断することを特徴とする［１］〜［３］または［４］に記載の大気情報予報装置（１）。
【００１２】
［７］前記監視部（２０）は、地表面温度から最高高度の外気温センサ（Ｓ１，Ｓ２…Ｓｎ）の示す温度までのデータ分布が所定の角度の勾配に近似するときは逆転層の生成を判断し、そのデータ分布の勾配が急角度であるときは逆転層の非生成を判断することを特徴とする［１］〜［３］または［４］に記載の大気情報予報装置（１）。
【００１３】
［８］前記外気温センサ（Ｓ１，Ｓ２…Ｓｎ）は、給湯器（１０）の動作停止から給湯熱の影響を受けなくなるまでの時間経過後のデータを使用することを特徴とする［２］〜［６］または［７］に記載の大気情報予報装置（１）。
【００１４】
［９］予報結果は、夏季は光化学スモッグ予報に、冬季は霜予報に利用することを特徴とする［１］〜［７］または［８］に記載の大気情報予報装置（１）。
【００１５】
［１０］前記給湯器（１０）に備えられた風量を計測するための質量流量センサ（Ｖ１，Ｖ２…Ｖｎ）または、ファン（１４）の回転数と消費電力のデータ分布を検出し、風向風速動向により予報の方向性を判断することを特徴とする［２］〜［８］または［９］に記載の大気情報予報装置（１）。
【００１６】
［１１］高層建築物からの情報により大気の状態を予測する大気情報予報装置（１）であって、
遠隔接続され高層建築物の各所に設けられた外気温センサ（Ｓ１，Ｓ２…Ｓｎ）からのデータを受信する入力部（２１）と、判断部（２３）と、前記判断部（２３）からの予報に応じて警報を発する警報出力部（２４）を備えて成り、
前記判断部（２３）は、監視地域の高層建築物の前記外気温センサ（Ｓ１，Ｓ２…Ｓｎ）からの外気温情報に応じて、大気の逆転層の生成を判断して予報することを特徴とする大気情報予報装置（１）。
【００１７】
前記本発明は次のように作用する。  
本発明に係る大気情報予報装置（１）は、高層建築物からの情報により大気の状態を予測するものである。高層建築物の各所に設けられた外気温センサ（Ｓ１，Ｓ２…Ｓｎ）によるそれぞれの高度での外気温情報は、遠隔接続された監視部（２０）に送られる。高層建築物の住所等の地点情報や、部屋番号等に代表される階層による高度情報も当然に送られる。
【００１８】
監視部（２０）は、監視地域の高層建築物の外気温センサ（Ｓ１，Ｓ２…Ｓｎ）からの高度別の外気温情報に応じて、大気の逆転層の生成を判断して予報する。または、監視部（２０）は、監視地域の高層建築物の外気温センサ（Ｓ１，Ｓ２…Ｓｎ）からの高度別の外気温情報と、当該地域の地表面温度とに応じて、大気の逆転層の生成を判断して予報する。予報は、予め確認されている蓄積データと、外気温情報のデータ分布とを比較することによりなされる。または、外気温情報のデータ分布が所定の角度の勾配に近似するか否かによりなされる。概括的にいえば、各高度の温度に差がなければ、逆転層はできておらず、差があって所定の分布をしておれば逆転層ができている可能性があると判断される。または、地表面温度と各高度の温度とに差がなければ、逆転層はできておらず、差があって所定の分布をしておれば逆転層ができている可能性があると判断される。
【００１９】
高層建築物の各所に設けられた給湯器（１０）に備え付けられている外気温サーミスタを外気温センサ（Ｓ１，Ｓ２…Ｓｎ）として用いる。この外気温センサ（Ｓ１，Ｓ２…Ｓｎ）によって測定された外気温情報が、地点情報と高度情報と共に監視部（２０）に送られる。また、高層建築物の各所に設けられた給湯器（１０）に備え付けられている外気温サーミスタである外気温センサ（Ｓ１，Ｓ２…Ｓｎ）に加えて、給湯器（１０）に備えられた風量を計測するための質量流量センサ（Ｖ１，Ｖ２…Ｖｎ）からの風量情報も監視部（２０）に送られる。風量の単位は、ｇ／ｓｅｃである。
【００２０】
監視部（２０）は、監視地域の高層建築物の外気温センサ（Ｓ１，Ｓ２…Ｓｎ）からの高度別の外気温情報に応じて、大気の逆転層の生成を判断するとともに、質量流量センサ（Ｖ１，Ｖ２…Ｖｎ）による大気密度とにより汚染濃度を予測して予報する。または、監視部（２０）は、監視地域の高層建築物の外気温センサ（Ｓ１，Ｓ２…Ｓｎ）からの高度別の外気温情報と、当該地域の地表面温度とに応じて、大気の逆転層の生成を判断するとともに、質量流量センサ（Ｖ１，Ｖ２…Ｖｎ）による大気密度とにより汚染濃度を予測して予報する。
【００２１】
すなわち、監視部（２０）は、最低高度から最高高度までの外気温センサ（Ｓ１，Ｓ２…Ｓｎ）の温度分布を検証し、最低高度から最高高度までの外気温センサ（Ｓ１，Ｓ２…Ｓｎ）の示す温度のデータ分布が所定の角度の勾配に近似するときは逆転層の生成を判断し、温度勾配が急角度であるときは逆転層の非生成を判断する。または、監視部（２０）は、地表面温度から最高高度の外気温センサ（Ｓ１，Ｓ２…Ｓｎ）までの温度分布を検証し、地表面温度から最高高度の外気温センサ（Ｓ１，Ｓ２…Ｓｎ）の示す温度までのデータ分布が所定の角度の勾配に近似するときは逆転層の生成を判断し、温度勾配が急角度であるときは逆転層の非生成を判断する。
【００２２】
給湯器（１０）が使用されていると、外気温サーミスタである外気温センサ（Ｓ１，Ｓ２…Ｓｎ）のデータに誤差が生ずるので、給湯器（１０）の動作停止から給湯熱の影響を受けなくなるまでの時間経過後のデータを使用する。具体的には、例えば、各階に２５室ある５０階建てのビルであるとすると、０１０１号室（１階の１号室）から０１２５号室（１階の２５号室）のうち、給湯器（１０）の使用終了後４時間以上経過した器具の外気温センサ（Ｓ１，Ｓ２…Ｓｎ）のデータの平均値を１階のデータとすればよい。同様な方法で、５０階までのデータを取得する。予報結果は夏季は光化学スモッグ予報に、冬季は霜予報に利用される。
【００２３】
また、各地点の給湯器（１０）に備えられた風量を計測するための質量流量センサ（Ｖ１，Ｖ２…Ｖｎ）または、ファン（１４）の回転数と消費電力のデータ分布を検出し、地域における風向風量動向や分布により予報の方向性を判断する。例えば風速が相当以上であると、逆転層は生成されない。また、風向の動向や分布を読むと、風の強弱の方向を推測することができ、光化学スモッグの移動を予測することもできる。給湯器には、単なる給湯器のほかに給湯暖房機や風呂装置なども含まれる。
【００２４】
また、大気情報予報装置（１）は、入力部（２１）が遠隔接続され高層建築物の各所に設けられた外気温センサ（Ｓ１，Ｓ２…Ｓｎ）からのデータを受信し、判断部（２３）は、監視地域の高層建築物の外気温センサ（Ｓ１，Ｓ２…Ｓｎ）からの外気温情報に応じて、大気の逆転層の生成を判断して予報し、警報出力部（２４）は、その判断部（２３）からの予報に応じて警報を発する。
【発明の効果】
【００２５】
本発明に係る大気情報予報装置によれば、高層建築物からの情報により大気の状態を予測するので、確実にデータを得ることができ、正確な大気の状態を予報することができる。高層建築物の各所に設置された給湯器の外気温サーミスタを外気温センサとして利用すれば、給湯器のもともとの機能を利用するので、安価簡便に大気情報予報装置を構成することができる。給湯器に備えられた風量を計測するための質量流量センサのデータを利用すれば、大気密度により汚染濃度をも予測することができ、より精度の高い大気の状態の予測をすることができる。さらに、質量流量センサのデータ分布を検出し、地域における風向風速動向や分布により予報の可能性を判断することができる。風速が相当以上であると、逆転層は生成されない。また、風向の動向や分布に応じて、光化学スモッグの移動を予測して、被害を未然に防止することができる。
【発明を実施するための最良の形態】
【００２６】
以下、図面に基づき本発明の好適な一実施の形態を説明する。
図１〜図５は本発明の一実施の形態を示している。
図２に示すように、各所の高層建築物の高度差のある各所に給湯器１０が設置されており、給湯器１０には、水管１１と、水管１１内を流れる水を加熱する熱交換器１２と、燃焼部１３とを備えており、給湯器１０の燃焼室に送り込む空気の量（質量）を測るための質量流量センサＶが設けられ、これによりファン１４が運転制御される。また、給湯器１０の周囲温度が下がり、水管１１内の水が凍結して給湯器１０が破損しないように図示されないヒーターの運転制御のための外気温サーミスタである外気温センサＳが設けられている。外気温センサＳおよび、質量流量センサＶは多数箇所に設置された給湯器１０に設けられているので、必要により、外気温センサＳ１，Ｓ２…Ｓｎ、質量流量センサＶ１，Ｖ２…Ｖｎと呼ぶことにする。
【００２７】
図１に示すように、高層建築物の高度の違う各階や諸地域に給湯器１０，１０…が設置され、外気温センサＳ１，Ｓ２…Ｓｎおよび、質量流量センサＶ１，Ｖ２…Ｖｎが設置されている。給湯器１０，１０…には、中継器Ｔ１，Ｔ２…Ｔｎが設けられている。大気情報予報装置１は、これらセンサの情報と、住所またはＧＰＳ（衛星測位システム）等による地域情報、及び階層または部屋番号等による高度情報を公衆回線ネットワークＬを介して監視部２０に収集して大気の状態を予測するものである。地域情報には、給湯器１０が設置されている方角をも含むようにしてもよい。監視部２０は複数設けることができる。
【００２８】
外気温センサＳ１，Ｓ２…Ｓｎは、凍結温度を監視するためにもともと給湯器１０に備えたものを利用することができる。質量流量センサＶ１，Ｖ２…Ｖｎは、給湯器１０の燃焼性能を監視するためにもともと設けられ、本来はファン１４作動時におけるファン１４からの送風量（燃焼室に送り込む送風量）を測るものである。給湯器１０周囲に風がある時は、ファン１４を回転させていなくても燃焼室に空気の流れが生じる。つまり、ファン１４作動時におけるファン１４からの送風量を測ることのみならず、給湯器１０周囲のファン１４以外の自然の風の情報を収集するのに質量流量センサＶ１，Ｖ２…Ｖｎを利用することができる。質量流量センサＶ１，Ｖ２…Ｖｎは、質量を流量として検出することにより風量を計測するものであり、質量を通じて空気の濃度も検出できるものである。
【００２９】
中継器Ｔ１，Ｔ２…Ｔｎは、ターミナルアダプタ、モデム、ルータ、電話機等であり、公衆回線ネットワークＬの仕様に応じたものである。公衆回線ネットワークＬとしては、電話網、インターネット、独自ネットワーク等がある。
【００３０】
図３に示すように、外気温センサＳ１，Ｓ２…Ｓｎが遠隔接続される監視部２０は、外気温センサＳ１，Ｓ２…Ｓｎからの高度別の外気温情報、質量流量センサＶ１，Ｖ２…Ｖｎからの風速・空気濃度情報、それに地域情報、高度情報を公衆回線ネットワークＬを介して受信することによって受け取る入力部２１と、蓄積データを記憶するデータ部２２と、データ部２２のデータと外気温センサＳ１，Ｓ２…Ｓｎからの高度別の外気温情報および、質量流量センサＶ１，Ｖ２…Ｖｎからの風速・空気濃度情報とを比較して大気の状態を判断する判断部２３と、判断部２３が逆転層の生成を判断したとき、警報信号を出力する警報出力部２４とを備えている。
【００３１】
監視部２０は、入力部２１に入力される監視地域の高層建築物の外気温センサＳ１，Ｓ２…Ｓｎからの高度別の外気温情報と、地域情報および高度情報とを受け取り、その高度別の外気温情報とデータ部２２の蓄積データとを判断部２３により比較し、またはその外気温情報のデータ分布の角度により、大気の逆転層の生成を判断するとともに、質量流量センサＶ１，Ｖ２…Ｖｎからの大気密度情報データに必要によりファン１４の回転数等の情報を加えて、汚染濃度を予測して予報するものである。
【００３２】
または、監視部２０は、入力部２１に入力される監視地域の高層建築物の外気温センサＳ１，Ｓ２…Ｓｎからの高度別の外気温情報と、地域情報および高度情報とを受け取り、その高度別の外気温情報と当該地域の地表面温度とを判断部２３によりデータ部２２の蓄積データと比較し、またはその外気温情報とその地表面温度とのデータ分布の角度により、大気の逆転層の生成を判断するとともに、質量流量センサＶ１，Ｖ２…Ｖｎからの大気密度情報データに必要によりファン１４の回転数等の情報を加えて、汚染濃度を予測して予報するものである。
【００３３】
なお、質量流量センサＶ１，Ｖ２…Ｖｎに代えて、ファン１４の回転数と消費電力により、大気密度情報データを得ることもできる。大気密度が高いと仕事量が増えるので、大気密度とファン１４の回転数および消費電力とは相関関係があるからである。
【００３４】
つまり、監視部２０は、各地域での、最低高度の外気温センサＳ１，Ｓ２…Ｓｎから最高高度の外気温センサＳ１，Ｓ２…Ｓｎまでの温度分布を検証し、高度情報に基づく最低高度から最高高度までの外気温センサＳ１，Ｓ２…Ｓｎの示す温度のデータ分布がデータ部２２の蓄積データと比較し近似するとき、または所定の角度の勾配に近似するときは逆転層の生成を判断し、温度勾配が急角度であるときは逆転層の非生成を判断するものである。
【００３５】
または、監視部２０は、各地域での、地表面温度から最高高度の外気温センサＳ１，Ｓ２…Ｓｎまでの温度分布を検証し、高度情報に基づく地表面温度から最高高度の外気温センサＳ１，Ｓ２…Ｓｎの示す温度までのデータ分布がデータ部２２の蓄積データと比較し近似するとき、または所定の角度の勾配に近似するときは逆転層の生成を判断し、温度勾配が急角度であるときは逆転層の非生成を判断するものである。
【００３６】
外気温センサＳ１，Ｓ２…Ｓｎは、給湯器１０の動作停止から給湯熱の影響を受けなくなるまでの時間経過後のデータを使用し、予報結果は夏季は光化学スモッグ予報に、冬季は霜予報に利用することができる。
【００３７】
また、監視部２０は、各地点の給湯器１０に備えられた風量を計測するための質量流量センサＶ１，Ｖ２…Ｖｎのデータ分布を検出し、地域における風向風速動向や分布により予報の可能性を判断する。風速が相当以上であると、逆転層は生成されない。また、風向の動向や分布に応じて、光化学スモッグの移動を予測することができる。
【００３８】
次に作用を説明する。  
本発明に係る大気情報予報装置１は、高層建築物からの情報により大気の状態を予測するものである。各所の高層建築物の高度差のある各所に設けられた外気温センサＳ１，Ｓ２…Ｓｎおよび、風量を計測するための質量流量センサＶ１，Ｖ２…Ｖｎは、住所またはＧＰＳ（衛星測位システム）等による地域情報、及び階層または部屋番号等による高度情報と関係付けられる。これら各所のデータは、中継器Ｔ１，Ｔ２…Ｔｎから、公衆回線ネットワークＬを介して、遠隔接続された監視部２０に送られる。
【００３９】
監視部２０は、監視地域の高層建築物の外気温センサＳ１，Ｓ２…Ｓｎからの外気温情報および、風量を計測するための質量流量センサＶ１，Ｖ２…Ｖｎからの風量情報とに応じて、大気の逆転層の生成を判断して予報する。予報は、予め確認されているデータと、外気温情報のデータ分布とを比較することによりなされる。または、外気温情報のデータ分布が所定の角度の勾配に近似するか否かによりなされる。概括的にいえば、最低高度の温度又は各高度の外気温とに差がなければ、逆転層はできておらず、差があって所定の分布をしておれば逆転層ができている可能性があると判断される。ここで外気温の温度差とは、最低高度の外気温と各階の高度における外気温との差、又は各階の高度における外気温との差をいう。
【００４０】
または、監視部２０は、監視地域の高層建築物の外気温センサＳ１，Ｓ２…Ｓｎからの外気温情報および、風量を計測するための質量流量センサＶ１，Ｖ２…Ｖｎからの風量情報と、当該地域の地表面温度のデータとに応じて、大気の逆転層の生成を判断して予報する。予報は、予め確認されているデータと、外気温情報のデータ分布とを比較することによりなされる。または、外気温情報のデータ分布が所定の角度の勾配に近似するか否かによりなされる。概括的にいえば、地表面温度と各高度の外気温とに差がなければ、逆転層はできておらず、差があって所定の分布をしておれば逆転層ができている可能性があると判断される。ここで外気温の温度差とは、地表面温度と各階の高度における外気温との差、又は各階の高度における外気温との差をいう。
【００４１】
また、質量流量センサＶ１，Ｖ２…Ｖｎからの風量情報であるデータが所定値以上であると、逆転層が発生することはないと判断される。
【００４２】
図４は、晴天の日における大気の観測結果のデータを示す図表であり、Ａは外気温、各曲線についた数字は測定時刻、Ｃは高度（ｍ）を表している。この図表によれば、６時の曲線が一定の勾配で外気温が分布していることから大気が停滞していると見られ、逆転層の生成が見られる。これに対し、１２時の曲線は高度による外気温の温度差がなく、大気が混合して温度差がなくなっている混合層の生成が見られる。また、１８時の曲線は、大気が停滞する方向に変化する様子が見られる。このように晴天の日には、日の出とともに、太陽からの熱で地面が熱せられるため、地面に接している大気の塊り（大気塊）は地面からの熱で暖められて膨張し、密度が小さくなって上昇する。このため、地表付近から気温が上昇して、日中には地表付近が高温で上空が低温という気温の鉛直分布が出現する。大気の上層と下層との間に温度差が生じることにより、上昇気流が発生して、鉛直方向に対流が発生する。この対流が発生している混合層では、地表付近で排出された汚染物質を含む大気塊は、対流により上空に運ばれて拡散し、大気汚染物質の濃度が薄まる。逆に、逆転層が生じている場合は、汚染物資が上空へ運ばれず地表面付近に堆積し、大気汚染濃度が高まる。また、冬の夜間などには、地面から空に向かって熱が放射されるため、地表付近は熱が奪われて冷え霜が降りることがある。この場合は、地表付近は低温で上空が高温となる。なお、図４内の高度１５０ｍのところに点線を引いているが、これは高層建築物５０階の高さを表している。
【００４３】
図５は、図４における高層建築物の５０階までの晴天の日における大気の観測結果の温度データを示す図表である。Ａは外気温、各曲線についた数字は測定時刻、Ｂは数字の時刻での地表面温度、縦軸は高層建築物の階を表している。実際の高層建築物の高さには現実的な限りがあるので、図４に示したデータほど記憶している必要はなく、図５程度のデータがデータ部２２に蓄積データとして記憶されている。もちろんのことながら、図４に示したデータを記憶していてもよい。
【００４４】
つまり、外気温情報は、高層建築物の各所に設けられた給湯器１０に設けられた外気温サーミスタを外気温センサＳ１，Ｓ２…Ｓｎとして、この外気温センサＳ１，Ｓ２…Ｓｎから情報が監視部２０に送られる。また、高層建築物の各所に設けられた給湯器１０に設けられた外気温サーミスタである外気温センサＳ１，Ｓ２…Ｓｎに加えて、給湯器１０に備えられた風量を計測するための質量流量センサＶ１，Ｖ２…Ｖｎからの情報も監視部２０に送られる。
【００４５】
監視部２０では、監視地域の高層建築物の外気温センサＳ１，Ｓ２…Ｓｎからの高度別の外気温情報をデータ部２２の蓄積データと判断部２３で比較し、ファンを回転させていない時の質量流量センサＶのデータと合わせて、大気の逆転層の生成を判断する。この判断とともに、ファンを回転させて、その時に器具内に流れると予想される風速（ｍ／ｓｅｃ）と、質量流量センサＶによる風量（ｇ／ｓｅｃ）との関係から求められる大気密度とにより汚染濃度を予測して予報する。なお、データ部２２の蓄積データを判断部２３で比較することのみならず、外気温情報の温度分布が所定の角度の勾配に近似しているか否かによって判断できる。
【００４６】
または、監視部２０では、監視地域の高層建築物の外気温センサＳ１，Ｓ２…Ｓｎからの高度別の外気温情報と、当該地域の地表面温度とをデータ部２２の蓄積データと判断部２３で比較し、ファンを回転させていない時の質量流量センサＶのデータと合わせて、大気の逆転層の生成を判断する。この判断とともに、監視部２０からの指示により、給湯器１０を燃焼させていないにもかかわらず（つまり、お湯を沸かしていないにもかかわらず）、ファンを回転させる。その時に器具内に流れると予想される風速（ｍ／ｓｅｃ）と、質量流量センサＶによる風量（ｇ／ｓｅｃ）との関係から求められる大気密度とにより汚染濃度を予測して予報する。なお、データ部２２の蓄積データを判断部２３で比較することのみならず、外気温情報の温度分布が所定の角度の勾配に近似しているか否かによって判断できる。
【００４７】
ここで、予測・予報に用いられる情報としては、（１）高度別外気温情報、（２）風量情報、（３）風向風速動向、（４）汚染濃度（風速（ｍ／ｓｅｃ）と風量（ｇ／ｓｅｃ）の比較）の４つを挙げた。この中で（１）は、大気の逆転層の生成を判断するのに必須の情報である。（２）は、（１）とともに大気の逆転層の生成を判断するのに用いる。（３）と（４）は、精度の向上、内容の充実等をさせるものである。より具体的には、霜の予想には、（４）の情報は不要である。（３）の情報も基本的には不要であるが、内容を充実させるために用いてもよい。なお、（１）は外気温センサＳ１，Ｓ２…Ｓｎからの外気温情報、（２）は質量流量センサＶからのデータ、（３）は複数の質量流量センサＶ１，Ｖ２…Ｖｎからのデータ、（４）も（３）と同じく複数の質量流量センサＶ１，Ｖ２…Ｖｎからのデータにより得ることができる。
【００４８】
また、質量流量センサＶ１，Ｖ２…Ｖｎに代えて、ファン１４の回転数と消費電力をデータとして利用することができる。大気密度が高いと仕事量が増えるので、大気密度とファン１４の回転数および消費電力とは相関関係があり、この関係から、得られた大気密度により汚染濃度を予測して予報する。
【００４９】
すなわち、監視部２０は、最低高度から最高高度までの外気温センサＳ１，Ｓ２…Ｓｎの示す温度のデータ分布を蓄積データと比較し、またはその温度データ分布が所定の角度の勾配に近似するときは逆転層の生成を判断し、温度勾配が急角度であるときは逆転層の非生成を判断する。
【００５０】
または、監視部２０は、地表面温度から最高高度までの外気温センサＳ１，Ｓ２…Ｓｎの示す温度のデータ分布を蓄積データと比較し、またはその温度データ分布が所定の角度の勾配に近似するときは逆転層の生成を判断し、温度勾配が急角度であるときは逆転層の非生成を判断する。
【００５１】
また、各地点の給湯器１０に備えられた風量を計測するための質量流量センサＶ１，Ｖ２…Ｖｎの地域における風向風速動向や分布により予報の可能性を判断する。風速が相当以上であると、逆転層は生成されない。また、風向の動向や分布を用いると、光化学スモッグの移動を予測することができる。
【００５２】
風向風速動向について説明する。同一階の給湯器１０のファン１４が回転していない時（つまり、非燃焼時）の質量流量センサＶからのデータ分布が０より一定以上離れていない（偏差がない）状態であると、ほぼ風速０であると考えられる。逆に、質量流量センサＶからのデータ分布が０より一定以上離れていれば、風があると判断できる。そして、風がある時は、建物の方向によって、風上は風圧が強く、風下は風圧が弱くなる。具体的には、北風の場合、北に面していれば風を強く感じるが、南に面していれば風は強くない。つまり、地域情報に含まれている給湯器１０が設置されている方角及び質量流量センサＶの分布を検出し、風向風速動向により、どちらの方角に警報を発しなければならないかという予報の方向性をも判断することができる。たとえば、建物の南側に設置されている給湯器１０の質量流量センサＶからのデータが０であるのに、他の北側、東側、又は西側に設置されている給湯器１０の質量流量センサＶからのデータが風があることを示すデータ分布である場合には、その北側、東側、又は西側に設置されている給湯器１０の質量流量センサＶからのデータより風速動向がわかり、南側が風下とわかることから風向動向がわかる。したがって、もしも汚染物質が発生している場合には南側に流れ込むことが予想される。
【００５３】
外気温サーミスタである外気温センサＳ１，Ｓ２…Ｓｎは、給湯器１０内または給湯器１０のケース外表面に取り付けられている。給湯器１０が使用されていると、給湯器１０内で燃焼が行われ、お湯を沸かすので、必然的に給湯器１０自体が熱を持つ。このため、外気温サーミスタである外気温センサＳ１，Ｓ２…Ｓｎのデータは、外気の温度とは誤差が生じてしまう。したがって、給湯器１０の動作停止から給湯熱の影響を受けなくなるまでの時間経過後のデータを使用する。つまり、給湯器１０が動作しておらず、給湯器１０の使用停止から一定時間が経過している場合に、外気温センサＳ１，Ｓ２…Ｓｎが検知するデータを監視部２０に送付する。
【００５４】
具体的には、各階に２５室ある５０階建てのビルであるとすると、０１０１号室（１階の１号室）から０１２５号室（１階の２５号室）のうち、給湯器１０の使用終了後４時間以上経過した器具の外気温センサＳ１，Ｓ２…Ｓｎの外気温データだけを監視部２０に送付する。この送付されてきた外気温データの平均値を１階の外気温データとすればよい。同様な方法で、５０階までの外気温データを取得することができる。または、給湯器１０の使用終了時の時刻データと外気温センサＳ１，Ｓ２…Ｓｎの外気温データの両方を受け取り、監視部２０が給湯器１０の使用終了後４時間以上経過した器具の外気温センサＳ１，Ｓ２…Ｓｎのデータだけを各階の平均値を求める計算に用いるようにしてもよい。この平均値を求める方法としては、単純加算平均法等が用いられる。
【００５５】
逆転層が生じている時は上空の空気の塊りが地上に落ちてくるので、予報結果は夏季は上空で発生した光化学スモッグが地上にそのままの形で落ちてきてどの程度の被害をもたらすかの予報に利用できる。更に、冬季は上空に来ている寒気団の冷たい空気の塊りが地上にそのままの形で落ちてくるので霜予報に利用される。ごみ焼却場で発生する焼却排ガスは煙突により上空にて大気に開放されるが、逆転層発生下では、この上空の排ガスは所定時間後にほぼ垂直に落下する。したがって、ごみ焼却場での夜間操業を制限して、ダイオキシンや夜間発生しやすい重粒子の大気汚染物質の落下を防止する。また、霜の発生が予報される場合は、霜が降りる前に農作物や植物の霜被害防止対策をすることができる。
【００５６】
なお、地表面温度の情報、上空に寒気団が来ているかどうかの情報の精度や大気密度測定の情報の精度を上げるための当該地域の気圧（ヘクトパスカル）等の情報は別途たとえば気象庁のデータを用いることにより、より利用範囲が広い情報・より精度の高い情報が得られる。これらは、公衆回線ネットワークＬを用いて、気象庁のサーバー等から入手することもできる。
【００５７】
また、部屋番号（たとえば０３２１号室、１８０６号室の階を示す０３や１８を基に）から高度情報を求める方法としては、階を示す値に所定値、たとえば３（ｍ）を乗じることで求めることもできる。
【００５８】
具体的には、たとえば、０４２１号室（４階）にある給湯器１０の外気温センサＳからは１０度、１００６号室（１０階）にある給湯器１０の外気温センサＳからは１６度、１８１３号室（１８階）にある給湯器１０の外気温センサＳからは１９度、２１０４号室（２１階）にある給湯器１０の外気温センサＳからは２３度…のデータが監視部２０内の入力部２１に送られてくると、判断部２３は高度１２ｍの気温は１０度、高度３０ｍの気温は１６度、高度５４ｍの気温は１９度、高度６３ｍの気温は２３度…として判断できる。
【００５９】
なお、１つの高層建築物に取り付けられている複数の給湯器１０からの情報を用いるだけであってもよいが、複数の高層建築物に取り付けられている複数の給湯器１０からの情報を用いることによって、より広範囲で精度の高い予報を行うことができる。
【００６０】
外気温センサＳのデータと併せて送られる地点情報や部屋番号等は、例えば給湯器１０の製造ロット番号としてもよい。この場合、予め給湯器１０が備え付けられた際又は給湯器１０が売られた際に、製造ロット番号と地点情報や部屋番号等が関係付けられたデータをデータベースに格納しておく。監視部２０では、そのデータベースを用いて、製造ロット番号から地点情報や部屋番号等を検索するようにしてもよい。製造ロット番号の代わりに顧客番号等であってもよい。
【００６１】
前記実施の形態では、給湯器で説明をしたが、同様の装備を備えた給湯暖房機や風呂装置などでも良いことはいうまでもない。
【図面の簡単な説明】
【００６２】
【図１】本発明の一実施の形態に係る大気情報予報装置を示す概念ブロック図である。
【図２】本発明の一実施の形態に係る大気情報予報装置に利用する給湯器の概念図である。
【図３】本発明の一実施の形態に係る大気情報予報装置の監視部を示す概念ブロック図である。
【図４】本発明の一実施の形態に係る大気情報予報装置の監視部のデータ部へ蓄積する大気の観測結果のデータを示す図表である。
【図５】本発明の一実施の形態に係る大気情報予報装置の監視部のデータ部へ蓄積する大気の観測結果のデータ（５０階までのデータ）を示す図表である。
【符号の説明】
【００６３】
Ｌ…公衆回線ネットワーク
Ｔ…中継器
Ｓ…外気温センサ
Ｖ…質量流量センサ
１…大気情報予報装置
１０…給湯器
１１…水管
１２…熱交換器
１３…燃焼部
１４…ファン
２０…監視部
２１…入力部
２２…データ部
２３…判断部
２４…警報出力部
【図１】
2006153787.tif 000003
【図２】
2006153787.tif 000004
【図３】
2006153787.tif 000005
【図４】
2006153787.tif 000006
【図５】
2006153787.tif 000007